(57)【特許請求の範囲】
【請求項１】
交流電源が接続される入力端と、前記入力端に接続される整流器と、同整流器の出力に接続された昇圧チョッパ回路と、同昇圧チョッパ回路の出力端に接続されたインバータと、同インバータの出力端に接続された圧縮機と、前記交流電源からの入力電流を検出する電流検出部と、前記昇圧チョッパ回路の前記出力端に接続された電圧検出部と、前記昇圧チョッパ回路を制御する制御部とを備えた空気調和機であって、
前記空気調和機は、
前記電圧検出部で検出した検出電圧と前記電流検出部で検出した検出電流とが入力され、前記検出電圧が予め定めた電圧閾値以下になり、前記検出電流が予め定めた電流閾値以上になった時に継続運転不可信号を出力する継続運転判定部を備え、
前記制御部は前記継続運転不可信号が入力された時、前記昇圧チョッパ回路の運転を停止することを特徴とする空気調和機。
【請求項２】
交流電源が接続される入力端と、前記入力端に接続される整流器と、同整流器の出力に接続された昇圧チョッパ回路と、同昇圧チョッパ回路の出力端に接続されたインバータと、同インバータの出力端に接続された圧縮機と、前記交流電源からの入力電流を検出する電流検出部と、前記昇圧チョッパ回路の前記出力端に接続された電圧検出部と、前記電圧検出部で検出した検出電圧が予め定められた出力電圧になるように前記昇圧チョッパ回路を制御すると共に、前記インバータを介して前記圧縮機の回転数を制御する制御部とを備えた空気調和機であって、
前記空気調和機は、
前記検出電圧と前記電流検出部で検出した検出電流とが入力され、前記検出電圧が予め定めた電圧閾値以下になり、前記検出電流が予め定めた電流閾値以上になった時に継続運転不可信号を出力する継続運転判定部と、
前記継続運転不可信号が入力された時、前記昇圧チョッパ回路の出力電圧を一時的に低下させる電圧低下指示信号を前記制御部に出力する電圧低下指示部とを備え、
前記制御部は前記電圧低下指示信号が入力されると、前記昇圧チョッパ回路の前記出力電圧を低下させると共に、前記圧縮機の回転数を低下させることを特徴とする空気調和機。
【発明の詳細な説明】
【技術分野】
【０００１】
本発明は、空気調和機に係わり、より詳細には、瞬時電圧低下が発生した時における空気調和機の運転停止の判定に関する。
【背景技術】
【０００２】
従来、空気調和機は例えば図７に示すスイッチング電源装置を備えていた。
図７のスイッチング電源装置は、図示しない交流電源が接続される整流器６０と、昇圧チョッッパ回路５１を内蔵した力率改善回路５０と、力率改善回路５０を制御する力率改善制御回路６２と、昇圧チョッパ回路５１の出力電圧（ＤＣ電圧）を検出して力率改善制御回路６２へ出力する電圧検出回路６１とを備えている。
【０００３】
力率改善制御回路６２は、交流電源が出力する交流電圧（ＡＣ電圧ＶＡＣ）が低下し、この結果、昇圧チョッパ５１から出力されるＤＣ電圧が予め定めた閾値電圧よりも低下すると、力率改善回路５０を停止させる。一方、ＡＣ電圧ＶＡＣが正常に戻ると、力率改善制御回路６２は力率改善回路５０の動作を再開させる。このため、一時的にＡＣ電圧ＶＡＣが低下したまま空気調和機の定格入力電圧よりも低い電圧が継続する瞬時電圧低下発生時に、昇圧チョッパ回路５１が出力するＤＣ電圧を維持するために過負荷となる現象を事前に防止できる（例えば、特許文献１参照。）。
【０００４】
もし、力率改善制御回路６２が力率改善回路５０の動作を停止させない場合、過負荷により昇圧チョッパ回路５１内の図示しないスイッチング素子が過電流で破壊されたり、ＡＣ電圧ＶＡＣが瞬時電圧低下から急激に復帰した場合に昇圧チョッパ回路５１が出力するＤＣ電圧が一時的に目標電圧以上に跳ね上がり、この跳ね上がった電圧によって関連する部品が破壊される場合がある。
このような問題は前述したように、昇圧チョッパ５１から出力されるＤＣ電圧が予め定めた閾値電圧よりも低下した場合、力率改善制御回路６２が力率改善回路５０を停止させることで回避できる。
【０００５】
しかしながら、力率改善制御回路６２は、昇圧チョッパ回路５１が出力するＤＣ電圧だけを監視して力率改善回路５０の動作を停止させるため、瞬時電圧低下の発生時間が短い場合やスイッチング電源装置の負荷が軽い場合など、空気調和機の運転を継続できる場合であっても一律に力率改善回路５０の動作を停止させる。
【０００６】
このため瞬時電圧低下が頻繁に発生する電源環境の場合、昇圧チョッパ回路５１の負荷として接続される図示しない圧縮機はＡＣ電圧ＶＡＣが低下した時に運転が停止され、ＡＣ電圧ＶＡＣが正常に戻ると再起動することになる。一般的に一旦運転を停止した圧縮機を再起動するためには、空気調和機内の冷媒圧力が均衡するまで３分程度の待ち時間が必要であり、瞬時電圧低下が発生する度に空気調和機が３分間停止することでユーザーにとって非常に不快な場合があった。
【先行技術文献】
【特許文献】
【０００７】
【特許文献１】特開２００７−２６７５４０号公報（第５−６頁、図１）
【発明の概要】
【発明が解決しようとする課題】
【０００８】
本発明は以上述べた問題点を解決し、空気調和機において、瞬時電圧低下が発生した時あっても単純に交流電圧が所定電圧以下に低下した条件で運転を停止するのでなく、交流電圧が所定電圧以下に低下した条件であっても、運転継続が可能な状態で有ればできるだけ運転を継続させることを目的とする。
【課題を解決するための手段】
【０００９】
本発明は上述の課題を解決するため、本発明の請求項１に記載の発明は、交流電源が接続される入力端と、前記入力端に接続される整流器と、同整流器の出力に接続された昇圧チョッパ回路と、同昇圧チョッパ回路の出力端に接続されたインバータと、同インバータの出力端に接続された圧縮機と、前記交流電源からの入力電流を検出する電流検出部と、前記昇圧チョッパ回路の前記出力端に接続された電圧検出部と、前記昇圧チョッパ回路を制御する制御部とを備えた空気調和機であって、
前記空気調和機は、
前記電圧検出部で検出した検出電圧と前記電流検出部で検出した検出電流とが入力され、前記検出電圧が予め定めた電圧閾値以下になり、前記検出電流が予め定めた電流閾値以上になった時に継続運転不可信号を出力する継続運転判定部を備え、
前記制御部は前記継続運転不可信号が入力された時、前記昇圧チョッパ回路の運転を停止する。
【００１０】
また、本発明の請求項２に記載の発明は、交流電源が接続される入力端と、前記入力端に接続される整流器と、同整流器の出力に接続された昇圧チョッパ回路と、同昇圧チョッパ回路の出力端に接続されたインバータと、同インバータの出力端に接続された圧縮機と、前記交流電源からの入力電流を検出する電流検出部と、前記昇圧チョッパ回路の前記出力端に接続された電圧検出部と、前記電圧検出部で検出した検出電圧が予め定められた出力電圧になるように前記昇圧チョッパ回路を制御すると共に、前記インバータを介して前記圧縮機の回転数を制御する制御部とを備えた空気調和機であって、
前記空気調和機は、
前記検出電圧と前記電流検出部で検出した検出電流とが入力され、前記検出電圧が予め定めた電圧閾値以下になり、前記検出電流が予め定めた電流閾値以上になった時に継続運転不可信号を出力する継続運転判定部と、
前記継続運転不可信号が入力された時、前記昇圧チョッパ回路の出力電圧を一時的に低下させる電圧低下指示信号を前記制御部に出力する電圧低下指示部とを備え、
前記制御部は前記電圧低下指示信号が入力されると、前記昇圧チョッパ回路の前記出力電圧を低下させると共に、前記圧縮機の回転数を低下させる。
【発明の効果】
【００１１】
以上の手段を用いることにより、本発明による空気調和機によれば、交流電源の電圧低下により昇圧チョッパ回路の出力電圧が低下した場合であっても、空気調和機の入力電流（ＡＣ電流）が一定以上に増加するまで空気調和機を出来るだけ継続運転させることができる。このため瞬時電圧低下により発生する空気調和機の運転停止の頻度を減少させることができ、ユーザーに無用な不快感を与えることがない。
【図面の簡単な説明】
【００１２】
【図１】本発明による空気調和機の第１実施例を示すブロック図である。
【図２】本発明による瞬時電圧低下発生時における空気調和機の動作を説明する説明図である。
【図３】本発明による瞬時電圧低下発生時における空気調和機の他の動作を説明する説明図である。
【図４】本発明による瞬時電圧低下発生時における空気調和機の別の動作を説明する説明図である。
【図５】本発明による空気調和機の第２実施例の動作を説明する説明図である。
【図６】本発明による空気調和機の第２実施例を示すブロック図である。
【図７】従来の空気調和機に使用される電源装置の構成を示すブロック図である。
【発明を実施するための形態】
【００１３】
以下、本発明の実施の形態を、添付図面に基づいた実施例として詳細に説明する。なお、図１及び図６に示す空気調和機には熱交換機や送風ファンモータ、電磁弁などを備えているが、これらは本願と直接的な関係がないため図示と説明を省略する。
【実施例１】
【００１４】
図１は本発明による空気調和機２０の実施例を示す概略のブロック図である。なお、この空気調和機２０は、ＡＣ電圧の定格入力電圧が１００ボルト、動作可能な入力電圧範囲が９０〜１１０ボルトになっている。
空気調和機２０は互いに通信接続された室外機４０と室内機５０とで構成されている。
室外機４０は、図示しない交流電源が接続される入力端１と入力端２に接続された整流器４と、入力端２と整流器４との間に直列に接続されＡＣ電流（入力電流）を検出する電流検出部３と、整流器４の出力側に接続された昇圧チョッパ回路５と、昇圧チョッパ回路５の出力端に接続されるインバータ６と、インバータ６の出力端に接続された圧縮機７と、昇圧チョッパ回路５の出力端に並列に接続されＤＣ電圧を検出する電圧検出部８と、昇圧チョッパ回路５とインバータ６との間に直列に接続された負荷電流検出部１０と、室内機５０からの指示により室外機４０全体を制御する室外機制御部９を備えている。
【００１５】
室外機制御部９は、指示された回転数で圧縮機７を駆動する駆動信号（スイッチング信号）をＰＷＭ制御により生成してインバータ６へ出力すると共に、電圧検出部８で検出した検出電圧信号に基づいて昇圧チョッパ回路５が出力するＤＣ電圧を所定の目標電圧になるように、また、電流検出部３で検出したＡＣ電流と対応する検出電流信号に基づいて力率を改善するようにスイッチング信号をＰＷＭ制御により生成して昇圧チョッパ回路５へ出力する。
【００１６】
一方、室外機４０は入力された検出電流信号と検出電圧信号に基づいて現状のままの運転が継続不可能か否かを判定した結果である継続運転不可信号を出力する継続運転判定部３０を備えている。
継続運転判定部３０は、予め定めた電流閾値（７アンペア）を備えた電流判定部３１と、予め定めた電圧閾値（２５０ボルト）を備えた電圧判定部３２と、アンド回路３３を備えている。
【００１７】
電流判定部３１は、入力された検出電流信号が予め定めた電流閾値以上の時にハイレベルの電流レベル信号を出力する。一方、電圧判定部３２は入力された検出電圧信号が予め定めた電圧閾値以下の時にハイレベルの電圧レベル信号を出力する。そして電流レベル信号と電圧レベル信号はアンド回路３３に入力されており、アンド回路３３は入力が共にハイレベルの時にハイレベルの継続運転不可信号を室外機制御部９へ出力する。
【００１８】
次に図２〜図４を用いて交流電源に瞬時電圧低下が発生した時の室外機４０の動作を説明する。
図２は発生した瞬時電圧低下の期間が短く、ＡＣ電圧の低下が大きい場合を示している。図２の横軸は時間であり、縦軸は電圧である。
図２（１）は図示しない交流電源のＡＣ電圧を、図２（２）は昇圧チョッパ回路５から出力されるＤＣ電圧を、図２（３）は交流電源のＡＣ電流を、図２（４）は電圧レベル信号を、図２（５）は電流レベル信号を、図２（６）は継続運転不可信号をそれぞれ示している。なお、ｔ１〜ｔ７は時刻である。また、前述したように継続運転判定部３０はＤＣ電圧を検出電圧信号で、また、ＡＣ電流信号を検出電流信号でそれぞれ認識している。
【００１９】
図２（１）のＡＣ電圧においてｔ１〜ｔ４の間に瞬時電圧低下が発生しピーク電圧が１４０ボルト（実効電圧：１００ボルト）から１００ボルト（実効電圧：７０ボルト）に低下している。このため図２（２）のＤＣ電圧はｔ３〜ｔ５の間で３００ボルトから２００ボルトへ一時的に低下しているが、瞬時電圧低下の発生期間が短いため、ｔ５から少し遅れて３００ボルトへ復帰している。
【００２０】
このようにＤＣ電圧の復帰が遅れる原因はＤＣ電圧制御のフィードバックが時間的に遅れるためである。室外機制御部９は検出電圧信号と目標出力電圧との差をフィードバック制御して昇圧チョッパ回路５にスイッチング信号を出力しているため、フィードバック処理には必ず一定時間が必要で、瞬時電圧低下発生期間が短い場合はフィードバック処理が間に合わずＤＣ電圧は一時的に低下する。なお、ＤＣ電圧はｔ３〜ｔ５の期間で電圧閾値以下となっている。
【００２１】
図２（３）のＡＣ電流において、瞬時電圧低下発生期間の後に若干の電流増加があるが、大きな乱れがなく、電流閾値未満である。一方、ｔ６以降の期間において空調制御の要因により負荷（インバータ６による圧縮機７の回転数）が増加したため、ＡＣ電流は増加して電流閾値以上になっている。
【００２２】
ＤＣ電圧がｔ３〜ｔ５の期間で電圧閾値以下となっているため、電圧判定部３２は図２（４）の電圧レベル信号に示すようにｔ３〜ｔ５の期間だけハイレベルを出力する。一方、例えば昇圧チョッパ回路５の負荷が増加してＡＣ電流がｔ６以降に電流閾値を超えた時、電流判定部３１は図２（５）に示すように電流閾値を超えた期間だけハイレベルの信号を出力する。
【００２３】
アンド回路３３は、電圧レベル信号と電流レベル信号が共にハイレベルになる期間がないため、図２（６）に示すように継続運転不可信号をローレベル（継続運転可能）にして出力する。この継続運転不可信号がローレベルのため室外機制御部９は現状のまま運転を継続する。従って瞬時電圧低下発生期間が比較的短い場合は空気調和機２０の運転を現状のまま継続することができる。
【００２４】
図３は発生した瞬時電圧低下の期間が長く、ＡＣ電圧の低下が小さい場合を示している。図３の横軸は時間であり、縦軸は電圧である。
図３（１）は交流電源のＡＣ電圧を、図３（２）は昇圧チョッパ回路５から出力されるＤＣ電圧を、図３（３）は交流電源のＡＣ電流を、図３（４）は電圧レベル信号を、図３（５）は電流レベル信号を、図３（６）は継続運転不可信号をそれぞれ示している。なお、ｔ１１〜ｔ１５は時刻である。
【００２５】
図３（１）のＡＣ電圧においてｔ１１〜ｔ１４の間に瞬時電圧低下が発生しピーク電圧が１４０ボルト（実効電圧：１００ボルト）から１２０ボルト（実効電圧：８５ボルト）に低下している。このため図３（２）のＤＣ電圧はｔ１３で３００ボルトから２４０ボルト付近へ一時的に低下しているが、瞬時電圧低下の発生期間中はこれ以上の低下がなく、ｔ５以降は３００ボルトへ復帰している。なお、ＤＣ電圧はｔ１３〜ｔ１５の期間で電圧閾値以下となっている。
【００２６】
図３（３）のＡＣ電流において、瞬時電圧低下の発生期間では圧縮機７を駆動する電力が小さい、つまり、昇圧チョッパ回路５の負荷が軽いため、瞬時電圧低下の発生期間中は電流閾値未満である。一方、ｔ１５以降の期間においてＡＣ電圧が元の電圧に復帰したため、ＡＣ電流は減少して瞬時電圧低下発生前の電流に復帰している。
【００２７】
ＤＣ電圧がｔ１３〜ｔ１５の期間で電圧閾値以下となっているため、電圧判定部３２は図３（４）の電圧レベル信号に示すようにｔ１３〜ｔ１５の期間だけハイレベルを出力する。一方、ＡＣ電流は電流閾値未満であるため、電流判定部３１は図３（５）に示すようにローレベルの信号を出力する。
【００２８】
アンド回路３３は、電圧レベル信号と電流レベル信号が共にハイレベルになる期間がないため、図３（６）に示すように継続運転不可信号をローレベル（継続運転可能）にして出力する。このローレベルの継続運転不可信号が入力された室外機制御部９は現状のまま運転を継続する。従って、瞬時電圧低下発生期間が長い場合であっても、昇圧チョッパ回路５の負荷が軽い場合は空気調和機２０の運転を継続することができる。
【００２９】
図４は発生した瞬時電圧低下の期間が長く、ＡＣ電圧の低下が小さいが昇圧チョッパ回路５の負荷が重い場合を示している。図４の横軸は時間であり、縦軸は電圧である。
図４（１）は交流電源のＡＣ電圧を、図４（２）は昇圧チョッパ回路５から出力されるＤＣ電圧を、図４（３）は交流電源のＡＣ電流を、図４（４）は電圧レベル信号を、図４（５）は電流レベル信号を、図４（６）は継続運転不可信号をそれぞれ示している。なお、ｔ２１〜ｔ２７は時刻である。
【００３０】
図４（１）のＡＣ電圧においてｔ２１〜ｔ２７の間に瞬時電圧低下が発生しピーク電圧が１４０ボルトから１２０ボルトに低下している。このため図４（２）のＤＣ電圧は３００ボルトから２４０ボルト付近へ低下し、昇圧チョッパ回路５の負荷が重くて昇圧チョッパ回路５の能力を超えているため、その後、徐々にＤＣ電圧が低下している。なお、ＤＣ電圧はｔ２３〜ｔ２６の期間で電圧閾値以下となっている。
【００３１】
図４（３）のＡＣ電流において、瞬時電圧低下の発生期間では昇圧チョッパ回路５の負荷が重くてＤＣ電圧が目標電圧以下になっているため、室外機制御部９はＤＣ電圧を上昇させるように昇圧チョッパ回路５にスイッチング信号を出力する。このため徐々に電流が増加し、ｔ２４で電流閾値を超えている。
【００３２】
ＤＣ電圧がｔ２３で電圧閾値以下となっているため、電圧判定部３２は図４（４）の電圧レベル信号に示すようにｔ２３でハイレベルを出力する。一方、ＡＣ電流はｔ２４で電流閾値を超えたため、電流判定部３１は図４（５）に示すようにハイレベルの信号を出力する。
【００３３】
アンド回路３３は、ｔ２４において電圧レベル信号と電流レベル信号が共にハイレベルになったため、図４（６）に示すように継続運転不可信号をハイレベル（継続運転不可）にして出力する。この継続運転不可信号が入力された室外機制御部９は昇圧チョッパ回路５とインバータ６の運転を停止、つまり、空気調和機２０の運転を中止する。
【００３４】
従って、瞬時電圧低下の発生期間が長い場合で、かつ、昇圧チョッパ回路５の負荷が重い場合は空気調和機２０の運転を停止する。つまり、瞬時電圧低下の発生により本当に運転が継続できない場合のみ運転を中止し、それ以外の場合は運転を継続することができる。
【００３５】
また、電流閾値は、瞬時電圧低下から復帰しても昇圧チョッパ回路５の出力電圧の跳ね上がり電圧による部品破壊がないように予め実験的に求めた値であり、出力電圧の跳ね上がり電圧による部品破壊が予想されるＡＣ電流が電流閾値以上の場合、空気調和機２０の運転を停止する。
【００３６】
電圧閾値は例えば次のように決定する。空気調和機２０のＡＣ電圧における動作保証電圧の下限電圧が９０ボルトの場合、ＡＣ電圧が８５ボルトの時に空気調和機２０の定格能力の半分で運転した時の昇圧チョッパ回路５の出力電圧を電圧閾値として実験的に求める。つまり、ＡＣ電圧が８５ボルトの時に空気調和機２０の定格能力の半分未満で運転すれば昇圧チョッパ回路５の出力電圧は電圧閾値以上となり運転を継続できる。
一方、ＡＣ電圧が８５ボルトの時に空気調和機２０の定格能力の半分を超えて運転した場合、昇圧チョッパ回路５の出力電圧は電圧閾値以下となり、これに対応してＡＣ電流も増加するが、電流閾値以上に増加した時に運転を中止する。
【実施例２】
【００３７】
次に図６を用いて本発明の別の実施例を説明する。
なお、図６に示す空気調和機２１は、図１に示す室外機４０の室外機制御部９と継続運転判定部３０との間に図６に示す電圧低下指示部１１設けた室外機４１を室外機４０に代えて備えている。
【００３８】
また、室外機４１の室外機制御部１９は図１の室外機制御部９の機能に追加して、電圧低下指示部１１から出力される電圧低下指示信号がローレベルからハイレベルになった時、昇圧チョッパ回路５の目標出力電圧を３００ボルトから２８０ボルトに切り換え、電圧低下指示信号がハイレベルからローレベルになった時、昇圧チョッパ回路５の目標出力電圧を２８０ボルトから３００ボルトに切り換える機能が備えられている。室外機制御部１９が昇圧チョッパ回路５の出力電圧を目標出力電圧になるように制御する機能は図１と同じである。その他は図１の空気調和機２０と同じであるため、ここではその相違部分についてのみ詳細に説明する。
【００３９】
電圧低下指示部１１は、検出電流信号と検出電圧信号と負荷電流検出部１０から出力される負荷電流信号と継続運転判定部３０から出力される継続運転不可信号とが入力され、継続運転不可信号がハイレベル（継続運転不可）になると、室外機制御部１９へ電圧低下指示信号をハイレベルにして出力する。このハイレベルの電圧低下指示信号が入力された室外機制御部１９は、昇圧チョッパ回路５の出力電圧を３００ボルトから２８０ボルトにすると共に、同時にインバータ６による圧縮機７駆動の回転数を一時的に低下させる。このため、圧縮機７が消費する電力を低減させて瞬時電圧低下による製品としてのＡＣ電圧の動作保証電圧の下限電圧より低いＡＣ電圧でも空調運転能力を低下させて運転を継続することができる。
【００４０】
また、電圧低下指示部１１は、検出電流信号と検出電圧信号と負荷電流信号とから空気調和機２１に供給される交流電源の入力電圧（実効値）を算出し、算出した入力電圧が空気調和機２１として保証された動作保証電圧の下限電圧以上になり瞬時電圧低下から復帰した時に、電圧低下指示信号ローレベル（継続運転可能）にする。
次に電圧低下指示部１１が入力電圧を算出する方法について説明する。
【００４１】
ＡＣ側（一次側）の電力とＤＣ側（二次側）の電力とは釣り合っており以下の関係が成り立つ。
入力電圧（実効値）×入力電流（実効値）×力率＝直流電圧×直流電流・・・・・式１
本実施例による昇圧チョッパ回路５は昇圧動作と共に力率改善動作も行なっており、力率はほぼ１である。また、式１の入力電流、直流電圧、直流電流は、本実施例で用いる検出電流、検出電圧、負荷電流に対応しているため、これらを式１に置き替えさらに、式１を変形して、力率を１として代入すると以下の式になる。
入力電圧（実効値）＝検出電圧×負荷電流／検出電流・・・・・式２
【００４２】
電圧低下指示部１１は継続運転不可信号がハイレベルなった以降、検出電流信号と検出電圧信号と負荷電流信号とを周期的に、例えば１ミリセカンド毎にサンプリングして記憶しており、式２を用いて入力電圧（実効値）を２０ミリセカンド（交流電源の１周期）毎に算出する。そして電圧低下指示部１１は、この算出結果である入力電圧（実効値）が空気調和機２１の動作保証電圧の下限値である９０ボルト（実効値）以上になったら室外機制御部１９に電圧低下指示信号をローレベルとして出力する。これが入力された室外機制御部１９は昇圧チョッパ回路５の目標出力電圧を２８０ボルトから元の３００ボルトに戻すと共に、同時にインバータ６による圧縮機７駆動の回転数を元の回転数に復帰させる。
【００４３】
図５は図６に示す空気調和機２１において交流電源に瞬時電圧低下が発生した時の動作を説明する説明図である。
図５は発生した瞬時電圧低下の期間が長く、ＡＣ電圧の低下が小さいが昇圧チョッパ回路５の負荷が重い場合を示している。図５の横軸は時間であり、縦軸は電圧である。
図５（１）は交流電源のＡＣ電圧を、図５（２）は昇圧チョッパ回路５から出力されるＤＣ電圧を、図５（３）は交流電源のＡＣ電流を、図５（４）は電圧レベル信号を、図５（５）は電流レベル信号を、図５（６）は継続運転不可信号を、図５（７）は電圧低下指示信号をそれぞれ示している。なお、ｔ３１〜ｔ３８は時刻である。
【００４４】
図５（１）のＡＣ電圧においてｔ３１〜ｔ３６の間に瞬時電圧低下が発生し、ピーク電圧が１４０ボルトから１２０ボルトに低下している。このため図５（２）のＤＣ電圧はｔ３３で３００ボルトから２４０ボルト付近へ低下している。また、昇圧チョッパ回路５の負荷が重くて昇圧チョッパ回路５の能力を超えているため、ｔ３３以降、徐々に電圧が低下している。
【００４５】
図５（３）のＡＣ電流において、瞬時電圧低下発生時のｔ３１以降では昇圧チョッパ回路５の負荷が重いため、徐々に電流が増加し、ｔ３４で電流閾値を超えている。
【００４６】
ＤＣ電圧がｔ３３で電圧閾値以下となっているため、電圧判定部３２は図５（４）の電圧レベル信号に示すようにｔ３３でハイレベルを出力する。一方、ＡＣ電流はｔ３４で電流閾値を超えたため、電流判定部３１は図５（５）に示すようにｔ３４でハイレベルの信号を出力する。
【００４７】
アンド回路３３は、ｔ３４において電圧レベル信号と電流レベル信号が共にハイレベルになったため、図５（６）に示すようにｔ３４で継続運転不可信号をハイレベル（継続運転不可）にして出力する。
【００４８】
電圧低下指示部１１は、継続運転不可信号がハイレベル（継続運転不可）になると、室外機制御部１９へ電圧低下指示信号を図５（７）のｔ３４でハイレベルにして出力する。この結果、室外機制御部１９は、昇圧チョッパ回路５の目標出力電圧を３００ボルトから２８０ボルトにすると共に、同時にインバータ６による圧縮機７駆動の回転数を一時的に低下させる。このため昇圧チョッパ回路５の負荷が軽くなり、ＤＣ電圧が上昇しｔ３７で電圧閾値以上になる。
【００４９】
電圧低下指示部１１はｔ３４以降、式２を用いて入力電圧を２０ミリセカンド毎に算出し、この算出値が動作保証電圧の下限値である９０ボルト（実効値）以上になるか判定する。電圧低下指示部１１は、ｔ３８で算出値が約１００ボルト（実効値）になったため、室外機制御部１９に電圧低下指示信号をローレベルにして出力する。この結果、室外機制御部１９は、昇圧チョッパ回路５の目標出力電圧を２８０ボルトから３００ボルトにすると共に、同時にインバータ６による圧縮機７駆動の回転数を元に復帰させる。
なお、室外機制御部１９は昇圧チョッパ回路５の目標出力電圧を低下せた後、さらにＡＣ電圧が低下した場合、入力電流（検出電流信号）が予め定めた過電流の閾値を超えた時に空気調和機２１の運転を停止させる。
【００５０】
従って、瞬時電圧低下発生期間が長い場合で、かつ、負荷が重い場合は空気調和機２１の運転能力を低減させて空調運転を継続させることができる。つまり、瞬時電圧低下発生により本当に運転が継続できない場合のみ運転を中止し、それ以外の場合は運転を継続することができる。また、瞬時電圧低下発生時に昇圧チョッパ回路５が出力するＤＣ電圧を低下させるため、瞬時電圧低下から復帰しても昇圧チョッパ回路５のＤＣ電圧の跳ね上がり電圧による部品破壊がない。
【００５１】
なお実施例１と実施例２では入力電流を整流器４の入力側で測定しているが、これに限るものでなく、これに代えて整流器４の出力側と昇圧チョッパ回路５の入力側との間に電流検出部を設けてもよい。
また、室外機制御部で昇圧チョッパ回路５とインバータ６を両方制御しているが、これに限るものでなく、それぞれ独立した制御部としてもよい。
また、実施例１と実施例２では単相交流電源を使用する空気調和機の例を説明しているが、これに限るものでなく、三相交流電源用の空気調和機であっても同じ効果を得ることができる。同様に本実施例では定格入力電圧が１００ボルトの空気調和機として説明しているが、これに限るものでなく、定格入力電圧が１２０ボルト、２００ボルト、２２０ボルトなど、どのような電圧の場合でも同様の効果を得ることができる。
【符号の説明】
【００５２】
１  入力端
２  入力端
３  電流検出部
４  整流器
５  昇圧チョッパ回路
６  インバータ
７  圧縮機
８  電圧検出部
９  室外機制御部
１０  負荷電流検出部
１１  電圧低下指示部
１９  室外機制御部
２０  空気調和機
２１  空気調和機
３０  継続運転判定部
３１  電流判定部
３２  電圧判定部
３３  アンド回路
４０  室外機
４１  室外機
５０  室内機
【図１】
0006295947.tif 000002
【図２】
0006295947.tif 000003
【図３】
0006295947.tif 000004
【図４】
0006295947.tif 000005
【図５】
0006295947.tif 000006
【図６】
0006295947.tif 000007
【図７】
0006295947.tif 000008